(57)【特許請求の範囲】
【請求項１】
第１の色の光を検出する複数の光電変換部を有し、二次元状に配置された複数の第１受光部を有する第１撮像素子と、
第２の色の光を検出する光電変換部を有する複数の第２受光部と、第３の色の光を検出する光電変換部を有する複数の第３受光部とを有し、前記複数の第２受光部と前記複数の第３受光部とが二次元状に配置された第２撮像素子と、
撮像光学系を透過した被写体からの光を分割して、前記第１撮像素子と前記第２撮像素子とに入射させる光学部材と、
前記第１撮像素子からの信号により前記撮像光学系の合焦点状態を検出する検出部と、
前記第１撮像素子からの信号と、前記第２撮像素子からの信号とにより画像データを生成する生成部と、
を有する撮像装置。
【請求項２】
請求項１に記載の撮像装置において、
前記第１受光部は、前記撮像光学系からの光が通過して第１の色の光を検出する複数の光電変換部に入射させる第１のマイクロレンズを有し、
前記第２受光部は、前記撮像光学系からの光が通過して第２の色の光を検出する光電変換部に入射させる第２のマイクロレンズを有し、
前記第３受光部は、前記撮像光学系からの光が通過して第３の色の光を検出する光電変換部に入射させる第３のマイクロレンズを有し、
前記第１のマイクロレンズの面積が、前記第２のマイクロレンズの面積と前記第２のマイクロレンズの面積よりも大きい撮像装置。
【請求項３】
請求項１または２に記載の撮像装置において、
前記複数の第１受光部は隣り合って配置され、前記複数の第２受光部と前記複数の第３受光部とは隣り合って配置されている撮像装置。
【請求項４】
第１の色の光を検出する複数の光電変換部を有し、二次元状に隣り合って配置された複数の第１受光部を有する第１撮像素子と、
第２の色の光を検出する複数の光電変換部と第３の色の光を検出する複数の光電変換部とを有し、二次元状に隣り合って配置された複数の第２受光部を有する第２撮像素子と、
撮像光学系を透過した被写体からの光を分割して、前記第１撮像素子と、前記第２撮像素子とに入射させる光学部材と、
前記第１撮像素子からの信号または前記第２撮像素子からの信号の少なくとも一方により前記撮像光学系の合焦点状態を検出する検出部と、
前記第１撮像素子からの信号と、前記第２撮像素子からの信号とにより画像データを生成する生成部と、
を有する撮像装置。
【請求項５】
請求項１から４までのいずれか一項に記載の撮像装置において、
前記第１の色の光は緑色の光であり、前記第２の色の光は赤色の光であり、前記第３の色の光は青色の光である撮像装置。
【請求項６】
請求項５に記載の撮像装置において、
前記光学部材は、緑色成分の光を反射するダイクロイックミラーであり、前記ダイクロイックミラーで反射した光が前記第１撮像素子に入射する撮像装置。
【発明の詳細な説明】
【技術分野】
【０００１】
本発明は、撮像装置に関する。
【背景技術】
【０００２】
撮像素子の一部に配置された複数の焦点検出用画素からの出力信号に基づいて、瞳分割型位相差方式による焦点検出を行う単板式の撮像装置が知られている（特許文献１参照）。
【先行技術文献】
【特許文献】
【０００３】
【特許文献１】特開２００７−２８２１０９号公報
【発明の概要】
【発明が解決しようとする課題】
【０００４】
ところで、従来、複数の撮像素子を有する多板式（たとえば２板式や３板式）の撮像装置も知られている。ここで、撮像素子の一部に焦点検出専用の画素を設ける従来技術を、多板式の撮像装置に適用することも考えられる。しかし、従来技術で焦点検出を行うには、焦点検出専用の画素が配置された位置に限られる。そこで、焦点検出専用の画素を増やすと、焦点検出専用の画素が配置された位置では画像信号が得られないために画質が低下してしまう。このように、多板式の撮像装置に従来技術を適用した場合、撮像素子の出力信号に基づいて画像信号の生成に加え位相差方式による焦点検出を可能とする一方で、撮像素子の一部に焦点検出専用の画素を設けたことによる弊害が生じてしまう。
【課題を解決するための手段】
【０００５】
請求項１に記載の撮像装置は、第１の色の光を検出する複数の光電変換部を有し、二次元状に配置された複数の第１受光部を有する第１撮像素子と、第２の色の光を検出する光電変換部を有する複数の第２受光部と、第３の色の光を検出する光電変換部を有する複数の第３受光部とを有し、前記複数の第２受光部と前記複数の第３受光部とが二次元状に配置された第２撮像素子と、撮像光学系を透過した被写体からの光を分割して、前記第１撮像素子と前記第２撮像素子とに入射させる光学部材と、前記第１撮像素子からの信号により前記撮像光学系の合焦点状態を検出する検出部と、前記第１撮像素子からの信号と、前記第２撮像素子からの信号とにより画像データを生成する生成部と、を有する。
【発明の効果】
【０００６】
本発明によれば、撮像素子に焦点検出専用の画素を設けることなく、撮像素子からの出力信号に基づいて画像信号の生成および位相差方式による焦点検出を行うことができる。
【図面の簡単な説明】
【０００７】
【図１】本発明の実施の形態によるデジタルカメラの構成を例示する図である。
【図２】ＲＢ用撮像素子における画素の配置を例示する平面図である。
【図３】Ｇ用撮像素子における画素の配置を例示する平面図である。
【図４】交換レンズの射出瞳を例示する図である。
【図５】デフォーカス量を求める画素列を説明する図である。
【図６】射出瞳を通る光束を説明する図である。
【図７】デフォーカス量を求める画素列を説明する図である。
【図８】射出瞳を通る光束を説明する図である。
【図９】デフォーカス量を求める画素列を説明する図である。
【図１０】射出瞳を通る光束を説明する図である。
【図１１】第１の画像信号生成処理を説明する図である。
【図１２】第２の画像信号生成処理を説明する図である。
【図１３】第２の画像信号生成処理を説明する図である。
【図１４】第２の画像信号生成処理を説明する図である。
【図１５】第３の画像信号生成処理を説明する図である。
【図１６】撮影処理の流れを説明するフローチャートである。
【図１７】変形例２の撮像素子における画素の配置を例示する平面図である。
【図１８】変形例３の撮像素子における画素の配置を例示する平面図である。
【発明を実施するための形態】
【０００８】
以下、図面を参照して本発明を実施するための形態について説明する。図１は、本発明の一実施の形態によるデジタルカメラの構成を例示する図である。デジタルカメラ１は、交換レンズ２とカメラボディ３から構成される。交換レンズ２は、マウント部４を介してカメラボディ３に装着される。
【０００９】
交換レンズ２は、レンズ制御部５、主レンズ９、ズームレンズ８、フォーカシングレンズ７、および絞り６を含む。レンズ制御部５は、マイクロコンピュータとメモリなどで構成され、フォーカシングレンズ７と絞り６の駆動制御、絞り６の開口状態の検出、ズームレンズ８およびフォーカシングレンズ７の位置検出、後述するカメラボディ３側のボディ制御部１４に対するレンズ情報の送信、ボディ制御部１４からのカメラ情報の受信などを行う。
【００１０】
カメラボディ３は、ハーフミラー１０、第１の撮像素子１１、第２の撮像素子１２、撮像素子駆動制御部１９、ボディ制御部１４、液晶表示素子駆動回路１５、液晶表示素子１６、接眼レンズ１７、および操作部材１８などを含み、着脱可能なメモリカード２０が装着されている。
【００１１】
第１の撮像素子１１は、赤色（Ｒ）成分および青色（Ｂ）成分の光を受光するための撮像素子であり、以下、ＲＢ用撮像素子１１と呼ぶ。第２の撮像素子１２は、緑色（Ｇ）成分の光を受光するための撮像素子であり、以下、Ｇ用撮像素子１２と呼ぶ。ハーフミラー１０は、交換レンズ２を透過する被写体光束を二分割し、一方の被写体光束をＧ用撮像素子１２に向けて反射する一方、他方の被写体光束を透過してＲＢ用撮像素子１１に導く。ＲＢ用撮像素子１１およびＧ用撮像素子１２は、交換レンズ２に対して共役の位置に設けられており、交換レンズ２により結像される被写体像を撮像する。
【００１２】
ボディ制御部１４は、マイクロコンピュータとメモリなどで構成される。ボディ制御部１４は、デジタルカメラ全体の動作制御を行う。ボディ制御部１４とレンズ制御部５は、マウント部４の電気接点部１３を介して通信を行うように構成される。
【００１３】
撮像素子駆動制御部１９は、ボディ制御部１４からの指示に応じてＲＢ用撮像素子１１およびＧ用撮像素子１２で必要な制御信号を生成する。液晶表示素子駆動回路１５は、ボディ制御部１４からの指示に応じて液晶ビューファインダー（ＥＶＦ：電気的ビューファインダー）を構成する液晶表示素子１６を駆動する。撮影者は、接眼レンズ１７を介して液晶表示素子１６に表示された像を観察する。メモリカード２０は、画像データなどを格納記憶する記憶媒体である。
【００１４】
交換レンズ２によってＲＢ用撮像素子１１およびＧ用撮像素子１２上に結像された被写体像は、ＲＢ用撮像素子１１およびＧ用撮像素子１２によって光電変換される。ＲＢ用撮像素子１１およびＧ用撮像素子１２は、撮像素子駆動制御部１９からの制御信号によって光電変換信号の蓄積および信号読出しのタイミング（フレームレート）が制御される。ＲＢ用撮像素子１１およびＧ用撮像素子１２からの出力信号は、不図示のＡ／Ｄ変換部でデジタルデータに変換され、ボディ制御部１４へ送られる。
【００１５】
ボディ制御部１４は、Ｇ用撮像素子１２からの所定の焦点検出エリアに対応する出力信号に基づいてデフォーカス量を算出し、このデフォーカス量をレンズ制御部５へ送る。レンズ制御部５は、ボディ制御部１４から受信したデフォーカス量に基づいてフォーカシングレンズ駆動量を算出し、このレンズ駆動量に基づいてフォーカシングレンズ７を不図示のモーター等で駆動して合焦位置へ移動させる。
【００１６】
また、ボディ制御部１４は、撮影指示後にＲＢ用撮像素子１１およびＧ用撮像素子１２から出力された信号に基づいて記録用の画像データを生成する。ボディ制御部１４は、生成した画像データをメモリカード２０に格納するとともに液晶表示素子駆動回路１５へ送り、液晶表示素子１６に再生表示させる。
【００１７】
なお、カメラボディ３にはシャッターボタン、焦点検出エリアの設定部材などを含む操作部材１８が設けられている。ボディ制御部１４は、これらの操作部材１８からの操作信号を検出し、検出結果に応じた動作（撮影処理、焦点検出エリアの設定など）の制御を行う。
【００１８】
＜撮像素子の説明＞
本実施形態は、ＲＢ用撮像素子１１およびＧ用撮像素子１２に特徴を有するので、以降はこれらを中心に説明する。図２（ａ）および（ｂ）は、ＲＢ用撮像素子１１における画素の配置を例示する平面図である。ここでは、代表して１０×１０画素分を抜き出して図示している。各画素は略正方形にレイアウトされ、２次元状に配置されている。
【００１９】
ＲＢ用撮像素子１１には、赤色成分の光を受光する画素（Ｒ画素）および青色成分の光を受光する画素（Ｂ画素）が、それぞれ複数設けられている。Ｒ画素は、赤色成分の光のみを透過させるカラーフィルタと、該カラーフィルタの背後に配置された光電変換部とから構成される。Ｂ画素は、青色成分の光のみを透過させるカラーフィルタと、該カラーフィルタの背後に配置された光電変換部とから構成される。
【００２０】
また、ＲＢ用撮像素子１１には、交換レンズ２からの光束を効率的に４つの画素の組へ導くためのマイクロレンズ４０が複数形成されている。図２（ａ）および（ｂ）において、それぞれ、５×５＝２５の円がマイクロレンズ４０に対応する。マイクロレンズ４０は、たとえば、その中心と光軸とが略一致する軸対称型の球面レンズあるいは非球面レンズで構成され、光入射側を凸形状として２次元状に配列されている。
【００２１】
ＲＢ用撮像素子１１において、各マイクロレンズ４０の背後には、二つのＲ画素および二つのＢ画素が２行２列に配置される。本説明では、図２（ａ）に示すように、マイクロレンズ４０の背後に位置する４つの画素の組を、その配置の違いによって２通り（Ｐ１、Ｐ２）に分類する。
【００２２】
マイクロレンズ４０の背後において、第１の組Ｐ１では、左上にＲ画素、右上にＢ画素、左下にＢ画素、右下にＲ画素が配置される。第２の組Ｐ２では、左上にＢ画素、右上にＲ画素、左下にＲ画素、右下にＢ画素が配置される。
【００２３】
第１の組Ｐ１および第２の組Ｐ２は、水平方向（Ｘ方向）および鉛直方向（Ｙ方向）において交互に繰り返し配置される。このような配置により、マイクロレンズ４０とＲ画素およびＢ画素との位置関係は、以下のようになる。
【００２４】
Ｒ画素は、縦横に隣接する４つのマイクロレンズ４０の背後において、左上、右上、左下、右下にそれぞれ２つずつ配置される。Ｂ画素は、縦横に隣接する４つのマイクロレンズ４０の背後において、左上、右上、左下、右下にそれぞれ２つずつ配置される。すなわち、Ｒ画素およびＢ画素は、それぞれマイクロレンズ４０の背後で特定の位置に偏らないように均等配置される。
【００２５】
図２（ｂ）は、図２（ａ）と同様の箇所を抜き出した図である。図２（ａ）に示した４つの画素の組分け（Ｐ１、Ｐ２）を縦横に１画素分ずらして見る場合、図２（ｂ）に示すように、Ｒ画素およびＢ画素は、それぞれ隣接する２行２列の４画素が同色の画素となるように配置されている。
【００２６】
また同色の２行２列の４画素は、それぞれ異なるマイクロレンズ４０の背後に配置され、マイクロレンズ４０に対する位置がそれぞれ異なる。換言すれば、異なる４つのマイクロレンズ４０の背後にそれぞれ配置されたＲ画素およびＢ画素は、それぞれの色ごとに２行２列に隣接するように配置される。
【００２７】
上記同色２行２列の４つのＲ画素から構成される組５０ｒ、４つのＢ画素から構成される組５０ｂは、水平方向および鉛直方向において交互に繰り返し配置され、市松模様を形成する。
【００２８】
図３は、Ｇ用撮像素子１２における画素の配置を例示する平面図である。Ｇ用撮像素子１２には、緑色成分の光を受光する画素（Ｇ画素）のみが２次元状に配列されている。Ｇ画素は、緑色成分の光のみを透過させるカラーフィルタと、該カラーフィルタの背後に配置された光電変換部とから構成される。
【００２９】
Ｇ用撮像素子１２には、ＲＢ用撮像素子１１と同様に、交換レンズ２からの光束を効率的に４つの画素の組へ導くためのマイクロレンズ４０が２次元状に配列されている。Ｇ用撮像素子１２において、各マイクロレンズ４０の背後には、四つのＧ画素が２行２列に配置される。
【００３０】
図４は、絞り６が開放された状態の交換レンズ２の射出瞳８０を例示する図である。射出瞳８０の４つの領域８１〜８４を通過した光束は、それぞれ、ＲＢ用撮像素子１１、Ｇ用撮像素子１２におけるマイクロレンズ４０の左上、右上、左下、および右下に位置する画素に入射する。各マイクロレンズ４０において左上、右上、左下、および右下に位置する画素に入射する光束と、上記第１領域８１、第２領域８２、第３領域８３、および第４領域８４との対応関係は、交換レンズ２の光軸Ａｘを対称軸として上下左右を反転したものとして考えればよい。
【００３１】
＜焦点検出処理＞
次に、上述した構成のＧ用撮像素子１２から焦点検出の信号を取得する例を、図５〜図１０を用いて説明する。まず、図５に例示するように、Ｇ用撮像素子１２において、Ｇ画素が水平方向（Ｘ軸方向）に並ぶ画素列９０に基づいてデフォーカス量を求める場合を説明する。画素列９０は、マイクロレンズ４０の左上に位置するＧ画素（Ｇ−ａ）と、マイクロレンズ４０の右上に位置するＧ画素（Ｇ−ｂ）とから構成される。画素列９０を構成する画素には、図６に例示するように、射出瞳８０上の第１領域８１を介する光束Ａと第２領域８２を介する光束Ｂとが入射される。光束Ａは、マイクロレンズ４０の左上に位置するＧ画素（Ｇ−ａ）に入射される。光束Ｂは、マイクロレンズ４０の右上に位置するＧ画素（Ｇ−ｂ）に入射される。
【００３２】
合焦時はＧ用撮像素子１２に鮮鋭像が結ばれる状態であるため、上述したように異なる瞳位置に瞳分割された光束による一対の像はＧ用撮像素子１２上で一致する。つまり、画素列９０において、光束Ａを受光するＧ画素（Ｇ−ａ）から得られる信号波形（信号列ａ１、ａ２、ａ３、ａ４…）と、光束Ｂを受光するＧ画素（Ｇ−ｂ）から得られる信号波形（信号列ｂ１、ｂ２、ｂ３、ｂ４…）とは、その形状が重なる。
【００３３】
一方、非合焦時はＧ用撮像素子１２の手前で鮮鋭像を結ぶ状態、あるいはＧ用撮像素子１２の後ろ側に鮮鋭像を結ぶ状態であるため、上記瞳分割された光束による一対の像は撮像素子１２上では一致しない。この場合の光束Ａによる信号波形（信号列ａ１、ａ２、ａ３、ａ４…）および光束Ｂによる信号波形（信号列ｂ１、ｂ２、ｂ３、ｂ４…）は、合焦状態からのずれ（デフォーカス量）に応じて、互いの位置関係（ずれ方向およびずれ量）が異なる。
【００３４】
ボディ制御部１４は、光束Ａによる信号波形（信号列ａ１、ａ２、ａ３、ａ４…）および光束Ｂによる信号波形（信号列ｂ１、ｂ２、ｂ３、ｂ４…）の位置関係に基づいて交換レンズ２による焦点位置の調節状態（デフォーカス量）を算出し、算出結果をカメラ情報としてレンズ制御部５へ送信する。レンズ制御部５がカメラ情報に基づいてフォーカシングレンズ７を光軸方向へ進退移動させると、上述したようにＲＢ用撮像素子１１およびＧ用撮像素子１２は共役関係にあるので、ＲＢ用撮像素子１１およびＧ用撮像素子１２上にそれぞれ鮮鋭像を結ぶようにフォーカスが調節される。
【００３５】
次に、図７に例示するように、Ｇ用撮像素子１２においてＧ画素が鉛直方向（Ｙ軸方向）に並ぶ画素列１２０に基づいてデフォーカス量を求める場合を説明する。画素列１２０は、マイクロレンズ４０の左上に位置するＧ画素（Ｇ−ａ）と、マイクロレンズ４０の左下に位置するＧ画素（Ｇ−ｃ）とから構成される。画素列１２０を構成する画素には、図８に例示するように、射出瞳８０上の第１領域８１を介する光束Ａと、第３領域８３を介する光束Ｃとが入射される。光束Ａは、マイクロレンズ４０の左上に位置するＧ画素（Ｇ−ａ）に入射される。光束Ｃは、マイクロレンズ４０の左下に位置するＧ画素（Ｇ−ｃ）に入射される。
【００３６】
合焦時はＧ用撮像素子１２に鮮鋭像が結ばれる状態であるため、上述したように画素列１２０において、光束Ａを受光するＧ画素（Ｇ−ａ）から得られる信号波形（信号列ａ１、ａ２、ａ３、ａ４…）と、光束Ｃを受光するＧ画素（Ｇ−ｃ）から得られる信号波形（信号列ｃ１、ｃ２、ｃ３、ｃ４…）とは、その形状が重なる。
【００３７】
一方、非合焦時の場合の光束Ａによる信号波形（信号列ａ１、ａ２、ａ３、ａ４…）および光束Ｃによる信号波形（信号列ｃ１、ｃ２、ｃ３、ｃ４…）は、合焦状態からのずれ（デフォーカス量）に応じて、互いの位置関係（ずれ方向およびずれ量）が異なる。
【００３８】
ボディ制御部１４は、光束Ａによる信号波形（信号列ａ１、ａ２、ａ３、ａ４…）および光束Ｃによる信号波形（信号列ｃ１、ｃ２、ｃ３、ｃ４…）の位置関係に基づいて交換レンズ２による焦点位置の調節状態（デフォーカス量）を算出し、算出結果をカメラ情報としてレンズ制御部５へ送信する。レンズ制御部５がカメラ情報に基づいてフォーカシングレンズ７を光軸方向へ進退移動させると、ＲＢ用撮像素子１１およびＧ用撮像素子１２上にそれぞれ鮮鋭像を結ぶようにフォーカスが調節される。
【００３９】
さらに、図９に例示するように、Ｇ用撮像素子１２においてＧ画素が斜め方向に並ぶ画素列１５０に基づいてデフォーカス量を求める場合を説明する。画素列１５０は、マイクロレンズ４０の左上に位置するＧ画素（Ｇ−ａ）と、マイクロレンズ４０の右下に位置するＧ画素（Ｇ−ｄ）とから構成される。画素列１５０を構成する画素には、図１０に例示するように、射出瞳８０上の第１領域８１を介する光束Ａと、第４領域８４を介する光束Ｄとが入射される。Ｐ成分の光束はマイクロレンズ４０の左上に位置するＧ画素（Ｇ−ａと呼ぶ）に入射される。光束Ａは、マイクロレンズ４０の左上に位置するＧ画素（Ｇ−ａ）に入射される。光束Ｄは、マイクロレンズ４０の右下に位置するＧ画素（Ｇ−ｄ）に入射される。
【００４０】
合焦時はＧ用撮像素子１２に鮮鋭像が結ばれる状態であるため、上述したように画素列１５０において、光束Ａを受光するＧ画素（Ｇ−ａ）から得られる信号波形（信号列ａ１、ａ２、ａ３、ａ４…）と、光束Ｄを受光するＧ画素（Ｇ−ｄ）から得られる信号波形（信号列ｄ１、ｄ２、ｄ３、ｄ４…）とは、その形状が重なる。
【００４１】
一方、非合焦時の場合の光束Ａによる信号波形（信号列ａ１、ａ２、ａ３、ａ４…）および光束Ｄによる信号波形（信号列ｄ１、ｄ２、ｄ３、ｄ４…）は、合焦状態からのずれ（デフォーカス量）に応じて、互いの位置関係（ずれ方向およびずれ量）が異なる。
【００４２】
ボディ制御部１４は、光束Ａによる信号波形（信号列ａ１、ａ２、ａ３、ａ４…）および光束Ｄによる信号波形（信号列ｄ１、ｄ２、ｄ３、ｄ４…）の位置関係に基づいて交換レンズ２による焦点位置の調節状態（デフォーカス量）を算出し、算出結果をカメラ情報としてレンズ制御部５へ送信する。レンズ制御部５がカメラ情報に基づいてフォーカシングレンズ７を光軸方向へ進退移動させると、ＲＢ用撮像素子１１およびＧ用撮像素子１２上にそれぞれ鮮鋭像を結ぶようにフォーカスが調節される。
【００４３】
＜画像信号生成処理＞
次に、上記ＲＢ用撮像素子１１およびＧ用撮像素子１２から画像信号を取得する例を、図１１〜図１５を用いて説明する。ボディ制御部１４は、ＲＢ用撮像素子１１およびＧ用撮像素子１２からの出力信号に基づいてカラーの画像信号を生成する画像信号生成処理を行う。本実施形態では、画像信号生成処理として以下の３方法のいずれかを用いて行う。ボディ制御部１４は、あらかじめ初期設定によって指示されている方法による画像信号生成処理を行う。
【００４４】
（第１の画像信号生成処理）
図１１は、第１の画像信号生成処理を説明する図である。第１の画像信号生成処理を行うボディ制御部１４は、図１１（ａ）に示すように、ＲＢ用撮像素子１１において、同じマイクロレンズ４０を介して光束を受光する４画素を１つの組２００として扱う。各組２００にはそれぞれ、Ｒ画素およびＢ画素が２つずつ含まれる。ボディ制御部１４は、２つのＲ画素からの出力信号の平均値をその組２００のＲ画像信号とし、２つのＢ画素からの出力信号の平均値をその組２００のＢ画像信号とする。
【００４５】
またボディ制御部１４は、図１１（ｂ）に示すように、Ｇ用撮像素子１２において、ＲＢ用撮像素子１１と同様に、同じマイクロレンズ４０を介して光束を受光する４画素を１つの組２００として扱う。各組２００にはそれぞれ、Ｇ画素が４つ含まれる。ボディ制御部１４は、４つのＧ画素からの出力信号の平均値をその組２００のＧ画像信号とする。
【００４６】
ボディ制御部１４は、ＲＢ用撮像素子１１から得られた各組２００ごとのＲ画像信号およびＢ画像信号とＧ用撮像素子１２から得られた各組２００ごとのＧ画像信号とを対応する組２００どうしで合成することにより、図１１（ｃ）に示すように、各組２００ごとのＲＧＢ画像信号（すなわちＲＢ用撮像素子１１およびＧ用撮像素子１２に含まれる画素数の１／４画素数であるカラー画像信号）を取得する。ボディ制御部１４は、このようにして得られたカラー画像信号を用いて記録用画像のファイルを生成する。
【００４７】
このように第１の画像信号生成処理では、色信号を補間する色補間処理を行わずに、カラーの画像信号を取得することができる。
【００４８】
（第２の画像信号生成処理）
図１２および図１３は、第２の画像信号生成処理を説明する図である。第２の画像信号生成処理を行うボディ制御部１４は、図１２（ａ）に示すように、ＲＢ用撮像素子１１において、隣接する同色の２行２列の４画素を１つの組２１０として扱う。
【００４９】
ボディ制御部１４は、各組２１０に含まれる４画素からの出力信号を加算した信号を、その組２１０の画像信号とする。具体的には、ボディ制御部１４は、Ｒ画素の組２１０の場合、４つのＲ画素からの出力信号を加算した信号を、その組２１０のＲ画像信号とする。ボディ制御部１４は、Ｂ画素の組２１０の場合、４つのＢ画素からの出力信号を加算した信号を、その組２１０のＢ画像信号とする。これにより、ボディ制御部１４は、図１２（ｂ）に示すように、ＲＢ用撮像素子１１に含まれる画素数の１／４画素数において、ＲとＢが交互の配列の画像信号を得ることができる。
【００５０】
ボディ制御部１４は、このようにして得られたＲとＢが交互の配列の画像信号において、隣接する組２１０からの信号を用いて不足する色成分を補間処理によって生成する。たとえば、Ｒ画素の組２１０の場合、Ｂ画像信号が存在しないので、周辺の組２１０の信号を用いて色補間処理を行う。このような色補間処理は公知であるので、詳細な説明は省略する。ボディ制御部１４は、この色補間処理により各組２１０ごとのＲ画像信号およびＢ画像信号を取得する。
【００５１】
またボディ制御部１４は、図１３（ａ）に示すように、Ｇ用撮像素子１２において、ＲＢ用撮像素子１１の組分け（図１２（ａ））と同様の配置で、隣接する２行２列の４画素を組分けする。これにより、１つの組２１０には、マイクロレンズ４０に対する位置がそれぞれ異なる４つのＧ画素が含まれる。
【００５２】
ボディ制御部１４は、各組２１０に含まれる４つのＧ画素からの出力信号を加算した信号を、その組２１０のＧ画像信号とする。これにより、ボディ制御部１４は、図１３（ｂ）に示すように、Ｇ用撮像素子１２に含まれる画素数の１／４画素数のＧ画像信号を得ることができる。
【００５３】
そしてボディ制御部１４は、ＲＢ用撮像素子１１から得られた各組２１０ごとのＲＢ画像信号とＧ用撮像素子１２から得られた各組２１０ごとのＧ画像信号とを対応する組２１０どうしで合成することにより、図１４（ａ）に示すように、各組２１０ごとのカラー画像信号（ＲＧＢ）を取得する。
【００５４】
ボディ制御部１４は、各組２１０ごとのＲＧＢの画像信号を用いて、各組２１０ごとの輝度信号Ｙを得る。たとえば、ボディ制御部１４は、０．２９９Ｒ＋０．５８７Ｇ＋０．１１４Ｂを、輝度信号Ｙとする。またボディ制御部１４は、各組２１０ごとに、Ｒ画像信号から輝度信号Ｙを引算した信号（Ｒ−Ｙ）を色差信号Ｃｒとする。ボディ制御部１４は、各組２１０ごとに、Ｂ画像信号から輝度信号Ｙを引算した信号（Ｂ−Ｙ）を色差信号Ｃｂとする。
【００５５】
この結果、ボディ制御部１４は、図１４（ｂ）に示すように、各組２１０ごとに、輝度信号Ｙおよび色差信号Ｃｒ、Ｃｂを取得する。ボディ制御部１４は、このようにして得られたカラー画像信号（ＹＣｒＣｂ）を用いて記録用画像のファイルを生成する。
【００５６】
ところで、マイクロレンズ４０へ入射する光束の入射角によっては、マイクロレンズ４０の背後に配置された４つの画素の受光量が均等にならない場合がある。たとえば、ある入射角θ１のときには、マイクロレンズ４０の左上に位置する画素の受光量が大きくマイクロレンズ４０の右下に位置する画素の受光量が小さくなったり、別の入射角θ２のときには、マイクロレンズ４０の左上に位置する画素の受光量が小さくマイクロレンズ４０の右下に位置する画素の受光量が大きくなったりする。
【００５７】
第２の画像信号生成処理では、マイクロレンズ４０の異なる位置（左上、右上、左下、右下）に配置された４画素（すなわち各組２１０に含まれる４画素）からの出力信号を加算した信号を画像信号とするようにしたので、マイクロレンズ４０への光の入射角によらず適切な画像信号を生成することができる。
【００５８】
（第３の画像信号生成処理）
第３の画像信号生成処理を行うボディ制御部１４は、各画素において不足する色成分を補間する色補間処理を行う。
【００５９】
まず、Ｒ画像信号を補間する処理について説明する。ボディ制御部１４は、図１２（ａ）に示した上記第２の画像信号生成処理と同様に、ＲＢ用撮像素子１１において、隣接する同色の２行２列の４画素を１つの組２１０として扱う。ボディ制御部１４は、Ｒ画素の組２１０において、４つのＲ画素からの出力信号を加算した信号をその組２１０のＲ画像信号とする。ボディ制御部１４は、Ｂ画素の組２１０におけるＲ画像信号を、周辺のＲ画素の組２１０のＲ画像信号を用いて補間する。
【００６０】
ボディ制御部１４は、Ｂ画素の組２１０において補間されたＲ画像信号を４で除算した信号（Ｒ／４）を、Ｂ画素の組２１０を構成する４つのＢ画素におけるＲ画像信号とする。このようにしてボディ制御部１４は、Ｂ画素の位置においてＲ画像信号を補間する処理を行う。
【００６１】
なお、Ｂ画像信号を補間する処理は、Ｒ画像信号を補間する処理と同様のため、説明を省略する。ボディ制御部１４は、Ｒ画素の位置において、Ｂ画像信号を補間する処理を行うことにより、各画素の位置においてＢ画像信号を得ることができる。
【００６２】
またＧ画像信号については、Ｇ用撮像素子１２から各画素の位置におけるＧ画像信号を読み出すことができるので、色補間処理は行わない。
【００６３】
ボディ制御部１４は、上述した色補間処理により得られた各画素３０の位置におけるＲ画像信号およびＢ画像信号と、Ｇ用撮像素子１２から得られた各画素３０の位置におけるＲ画像信号とを対応する画素３０どうしで合成することにより、図１５（ａ）に示すように、各画素３０の位置においてＲＧＢの画像信号を得る。そしてボディ制御部１４は、各画素３０の位置におけるＲＧＢの画像信号を用いて、各画素３０の位置における輝度信号Ｙを得る。たとえば、ボディ制御部１４は、０．２９９Ｒ＋０．５８７Ｇ＋０．１１４Ｂを、輝度信号Ｙとする。
【００６４】
またボディ制御部１４は、各画素３０の位置において、Ｒ画像信号から輝度信号Ｙを引算した信号（Ｒ−Ｙ）を色差信号Ｃｒとする。ボディ制御部１４は、各画素３０の位置において、Ｂ画像信号から輝度信号Ｙを引算した信号（Ｂ−Ｙ）を色差信号Ｃｂとする。
【００６５】
この結果、ボディ制御部１４は、図１５（ｂ）に示すように、各画素３０の位置において、輝度信号Ｙおよび色差信号Ｃｒ、Ｃｂを取得する。ボディ制御部１４は、このようにして得られたカラー画像信号（ＹＣｒＣｂ）を用いて、第１および第２の画像信号生成処理よりも解像度の高い記録用画像のファイルを生成する。
【００６６】
＜撮影処理＞
図１６は、ボディ制御部１４が実行する撮影処理の流れを説明するフローチャートである。ボディ制御部１４は、操作部材１８を構成する不図示のメインスイッチがオン操作された場合、ＲＢ用撮像素子１１およびＧ用撮像素子１２に所定のフレームレートで光電変換を開始させ、画像信号に基づくスルー画像を液晶表示素子１６に逐次再生表示させると共に、図１６に例示した処理を実行するプログラムを起動する。なお、スルー画像は、撮影指示前に取得するモニタ用の画像である。
【００６７】
図１６のステップＳ１１において、ボディ制御部１４は、撮影指示が行われたか否かを判定する。ボディ制御部１４は、操作部材１８を構成するレリーズボタンが押下操作されると、ステップＳ１１を肯定判定してステップＳ１２へ進む。ボディ制御部１４は、レリーズボタンが押下操作されない場合には、ステップＳ１１を否定判定してステップＳ１８へ進む。
【００６８】
ステップＳ１８において、ボディ制御部１４は、タイムアップか否かを判定する。ボディ制御部１４は、所定時間（たとえば、５秒）を計時した場合にステップＳ１８を肯定判定して図１６による処理を終了する。ボディ制御部１４は、計時時間が所定時間に満たない場合には、ステップＳ１８を否定判定してステップＳ１１へ戻る。
【００６９】
ステップＳ１２において、ボディ制御部１４は、ＡＥ処理およびＡＦ処理を行う。ＡＥ処理では、上記スルー画像用の画像信号のレベルに基づいて露出演算を行い、適正露出が得られるように絞り値ＡＶとシャッター速度ＴＶを決定する。ＡＦ処理は、設定されている焦点検出エリアに含まれる画素列からの出力信号列に基づいて、上述した焦点検出処理を行ってフォーカス調節をする。ボディ制御部１４は、以上のＡＥ、ＡＦ処理を行うとステップＳ１３へ進む。
【００７０】
ステップＳ１３において、ボディ制御部１４は撮影処理を行ってステップＳ１４へ進む。具体的には、上記ＡＶに基づいて絞り６を制御し、上記ＴＶに基づく蓄積時間でＲＢ用撮像素子１１およびＧ用撮像素子１２に記録用の光電変換を行わせる。ステップＳ１４において、ボディ制御部１４は、ＲＢ用撮像素子１１およびＧ用撮像素子１２からの出力信号を用いて上述した画像信号生成処理を行い、得られた画像信号に対して所定の画像処理（階調変換処理、輪郭強調処理、ホワイトバランス調整処理など）を行う。ボディ制御部１４は、このように画像処理を行うとステップＳ１５へ進む。
【００７１】
ステップＳ１５において、ボディ制御部１４は、液晶表示素子１６に撮影画像を表示させて、ステップＳ１６へ進む。ステップＳ１６において、ボディ制御部１４は記録用の画像ファイルを生成し、ステップＳ１７へ進む。ステップＳ１７において、ボディ制御部１４は、画像ファイルをメモリカード２０に記録して図１６による処理を終了する。
【００７２】
以上説明した実施の形態によれば、次の作用効果が得られる。
（１）デジタルカメラ１は、交換レンズ２を通過した被写体光束を複数に分割するハーフミラー１０と、ハーフミラー１０により分割された複数の被写体光束がそれぞれ入射されるＲＢ撮像素子１１、Ｇ用撮像素子１２と、画像信号を生成するボディ制御部１４と、交換レンズ２の焦点調節状態を位相差検出方式により検出するボディ制御部１４と、を備え、ＲＢ撮像素子１１、Ｇ用撮像素子１２は、それぞれ、画素群と、画素群に被写体光束を導くように配置されたマイクロレンズ群とを有し、画素群は、互いに異なる赤色、青色および緑色の光をそれぞれ受光するＲ画素、Ｂ画素およびＧ画素のうち少なくともいずれかの画素が２次元状に配列され、Ｇ用撮像素子１２は、マイクロレンズ群の各マイクロレンズ４０の背後に、４つの画素が２行２列に配置され、該４つの画素は、交換レンズ２の射出瞳８０の４つの瞳領域８１〜８４をそれぞれ通過する４つの光束Ａ〜Ｄをそれぞれ受光し、ボディ制御部１４は、ＲＢ用撮像素子１１、Ｇ用撮像素子１２のＲ画素、Ｂ画素およびＧ画素からの出力信号に基づいて画像信号を生成し、ボディ制御部１４は、マイクロレンズ４０の背後に４つの画素が２行２列に配置されたＧ用撮像素子１２からの出力信号に基づいて焦点調節状態を検出するように構成したので、ＲＢ用撮像素子１１、Ｇ用撮像素子１２に焦点検出専用の画素を設けることなく、ＲＢ用撮像素子１１、Ｇ用撮像素子１２の出力信号に基づいて画像信号の生成および位相差方式による焦点検出を行うことができる。
【００７３】
（２）上記（１）のデジタルカメラ１において、Ｒ画素が赤色の光を受光し、Ｂ画素が青色の光を受光し、Ｇ画素が緑色の光を受光するように構成したので、ＲＢ用撮像素子１１、Ｇ用撮像素子１２の出力信号から、赤緑青のカラー画像信号を取得することができる。
【００７４】
（３）上記（２）のデジタルカメラ１において、ＲＢ用撮像素子１１において、画素群ではＲ画素およびＢ画素が２次元状に配列され、Ｇ用撮像素子１２において、画素群ではＧ画素が２次元状に配列され、マイクロレンズ群の各マイクロレンズ４０の背後には、４つのＧ画素が２行２列に配置され、該４つのＧ画素は、交換レンズ２の射出瞳８０の４つの瞳領域８１〜８４をそれぞれ通過する４つの光束Ａ〜Ｄをそれぞれ受光し、ボディ制御部１４は、ＲＢ用撮像素子１１およびＧ用撮像素子１２からの出力信号に基づいて画像信号を生成し、ボディ制御部１４は、Ｇ用撮像素子１２からの出力信号に基づいて焦点調節状態を検出するように構成したので、２板式の撮像素子１１、１２の出力信号に基づいて画像信号の生成および位相差方式による焦点検出を行うことができる。
【００７５】
（４）上記（３）のデジタルカメラ１において、ＲＢ用撮像素子１１において、マイクロレンズ群の各マイクロレンズ４０の背後には、二つのＲ画素と二つのＢ画素とが２行２列に配置され、これら４つの画素は、交換レンズ２の射出瞳８０の４つの瞳領域８１〜８４をそれぞれ通過する４つの光束Ａ〜Ｄをそれぞれ受光し、さらに、Ｒ画素およびＢ画素は、それぞれ略同一の分光感度を有する画素同士で２行２列に隣接して配置され、該２行２列に隣接する４画素は、異なる４つのマイクロレンズ４０の背後にそれぞれ配置され、且つマイクロレンズ４０に対する位置がそれぞれ異なるように配置されるように構成したので、位相差方式による焦点検出を行うことができると共に、上記第１〜第３の画像信号処理のいずれも行うことができる。
【００７６】
（５）上記（４）のデジタルカメラ１において、ボディ制御部１４は、ＲＢ用撮像素子１１における、２行２列で互いに隣接する４つのＲ画素からの出力信号を加算した加算信号と、２行２列で隣接する４つのＢ画素からの出力信号を加算した加算信号と、Ｇ用撮像素子１２における、２行２列で互いに隣接する４つのＧ画素からの出力信号を加算した加算信号とに基づいて、２行２列で互いに隣接する４つの画素の組ごとの３色の画像信号を取得するように構成したので、マイクロレンズ４０への光の入射角によらず適切な画像信号を生成することができる。
【００７７】
（６）上記（４）のデジタルカメラ１において、ＲＢ用撮像素子１１において各マイクロレンズ４０の背後に配置されたＲ画素およびＢ画素からの出力信号と、Ｇ用撮像素子１２において各マイクロレンズ４０の背後に配置されたＧ画素からの出力信号とに基づいて、各マイクロレンズ４０位置における３色の画像信号を取得するように構成したので、色補間処理を行うことなく、カラーの画像信号を取得することができる。
【００７８】
（７）上記（４）のデジタルカメラ１において、ＲＢ用撮像素子１１において、Ｒ画素およびＢ画素の各画素位置において他の色成分の信号を生成する色補間処理を行うことにより得られたＲ画素およびＢ画素の各画素位置における赤色および青色の画像信号と、Ｇ用撮像素子１２から得られるＧ画素の各画素位置における緑色の画像信号とに基づいて、各画素位置における３色の画像信号を取得するように構成したので、高解像度の画像信号を取得することができる。
【００７９】
（８）上記（４）〜（７）のデジタルカメラ１において、ボディ制御部１４は、Ｇ用撮像素子１２において、略同色の光を受光し、且つマイクロレンズ４０に対する位置が異なる一対の画素からの出力信号に基づいて、交換レンズ２の焦点調節状態を検出するように構成したので、適切に位相差方式により焦点調節状態を検出することができる。
【００８０】
（変形例１）
上述した実施の形態では、Ｇ用撮像素子１２におけるＧ画素からの出力信号を用いて焦点検出処理を行うようにしたが、ＲＢ用撮像素子１１におけるＲ画素またはＢ画素からの出力信号を用いて焦点検出処理を行うようにしてもよい。
【００８１】
たとえば、変形例１のボディ制御部１４は、ＲＢ用撮像素子１１およびＧ用撮像素子１２からの出力信号を用いてＡＷＢ（オートホワイトバランス）評価値を求める。ＡＷＢ評価値は、たとえば、Ｒ画素、Ｇ画素、Ｂ画素ごとの出力信号の積算値である。Ｇ画素における該積算値が低い場合、Ｇ画素からの出力信号では適切にデフォーカス量を算出できない可能性がある。そこで、変形例１のボディ制御部１４は、Ｇ画素における該積算値が所定閾値以下の場合に、Ｒ画素およびＢ画素のうち該積算値がより大きい方を用いて上述と同様に焦点検出処理を行う。これにより、Ｇ成分が少ない被写体を撮影する場合であっても、適切に焦点検出処理を行うことができる。このように、ボディ制御部１４は、ＲＢ用撮像素子１１またはＧ用撮像素子１２の少なくともいずれかにおいて、略同色の光を受光し、且つマイクロレンズ４０に対する位置が異なる一対の画素からの出力信号に基づいて、交換レンズ２の焦点調節状態を検出すればよい。
【００８２】
（変形例２）
上述した実施の形態における２板式のＲＢ用撮像素子１１およびＧ用撮像素子１２に代えて、図１７に示す２板式のＲＢ用撮像素子１１ＸおよびＧ用撮像素子１２Ｘを用いるようにしてもよい。この場合のＲＢ用撮像素子１１Ｘは、上述した実施の形態のＲＢ用撮像素子１１と比較して、マイクロレンズ４０が各画素ごとに配置される点で異なるが、Ｒ画素およびＢ画素の配置は同一である。一方、Ｇ用撮像素子１２Ｘは、上述した実施の形態のＧ用撮像素子１２と同一の構成である。この場合のボディ制御部１４は、Ｇ用撮像素子１２Ｘからの出力信号に基づいて上述した焦点検出処理を行うようにする。
【００８３】
（変形例３）
上述した実施の形態における２板式のＲＢ用撮像素子１１およびＧ用撮像素子１２に代えて、図１８に示す２板式のＲＢ用撮像素子１１ＹおよびＧ用撮像素子１２Ｙを用いるようにしてもよい。この場合のＲＢ用撮像素子１１Ｙは、Ｒ画素およびＢ画素が水平方向および鉛直方向において交互に繰り返し配置され、市松模様を形成する。またＲＢ用撮像素子１１Ｙにおいて、マイクロレンズ４０は各画素ごとに配置される。一方、Ｇ用撮像素子１２Ｙは、上述した実施の形態のＧ用撮像素子１２と同一の構成である。この場合のボディ制御部１４は、Ｇ用撮像素子１２Ｙからの出力信号に基づいて上述した焦点検出処理を行うようにする。
【００８４】
（変形例４）
上述した実施の形態では、Ｇ画素（Ｇ−ａ）とＧ画素（Ｇ−ｂ）とから構成される画素列９０からの出力信号列に基づいて、水平方向におけるデフォーカス量を求めるようにしたが、これに限らなくてよい。Ｇ画素（Ｇ−ｃ）とＧ画素（Ｇ−ｄ）とから構成される画素列に基づいて水平方向におけるデフォーカス量を求めるようにしてもよいし、該画素列と画素列９０の双方に基づいて水平方向におけるデフォーカス量を求めるようにしてもよい。
【００８５】
また上述した実施の形態では、Ｇ画素（Ｇ−ａ）とＧ画素（Ｇ−ｃ）とから構成される画素列１２０からの出力信号列に基づいて、鉛直方向におけるデフォーカス量を求めるようにしたが、これに限らなくてよい。Ｇ画素（Ｇ−ｂ）とＧ画素（Ｇ−ｄ）とから構成される画素列に基づいて鉛直方向におけるデフォーカス量を求めるようにしてもよいし、該画素列と画素列１２０の双方に基づいて鉛直方向におけるデフォーカス量を求めるようにしてもよい。
【００８６】
また上述した実施の形態では、Ｇ画素（Ｇ−ａ）とＧ画素（Ｇ−ｄ）とから構成される画素列１５０からの出力信号列に基づいて、斜め方向におけるデフォーカス量を求めるようにしたが、これに限らなくてよい。Ｇ画素（Ｇ−ｂ）とＧ画素（Ｇ−ｃ）とから構成される画素列に基づいて斜め方向におけるデフォーカス量を求めるようにしてもよいし、該画素列と画素列１５０の双方に基づいて斜め方向におけるデフォーカス量を求めるようにしてもよい。
【００８７】
（変形例５）
上述した実施形態では、第１〜第３の画像信号生成処理のうち、あらかじめ初期設定によって指示されている処理を用いて記録用の画像信号を生成するようにしたが、これに限らなくてよい。
【００８８】
たとえば、変形例５のボディ制御部１４は、スルー画像を表示させる場合には、色補間処理を行わずに画像信号を生成できる第１の画像信号生成処理を選択し、選択した第１の画像信号生成処理を用いて画像信号を生成する。一方、記録用の画像については、高解像度の画像信号を生成できる第３の画像信号生成処理を選択し、選択した第３の画像信号生成処理を用いて画像信号を生成する。このように変形例５のボディ制御部１４は、画像信号を生成する際に、第１、第２および第３の画像信号生成処理のいずれかを選択することにより、たとえば、リアルタイムに画像を表示したい場面で色補間処理がいらない第１の画像信号生成処理を選択し、高画質に画像を記録したい場面で第３の画像信号処理を選択するなど、生成する画像の用途に適した画像信号生成処理を選ぶことができる。
【００８９】
また、ボディ制御部１４は、動画像については、第１または第２の画像信号生成処理によって画像信号を生成し、静止画像については、第３の画像信号生成処理によって画像信号を生成するようにしてもよい。
【００９０】
また、ボディ制御部１４は、たとえば、第１および第２の画像信号生成処理を両方用いて画像信号を生成するようにしてもよい。この場合のボディ制御部１４は、たとえば、第１の画像信号生成処理によって生成した画像、および第２の画像信号生成処理によって生成した画像を両方、背面の表示装置（不図示）に表示させる。ボディ制御部１４は、表示させた２つの画像のうち、ユーザが操作部材１８を介して選択した画像を、メモリカード２０に記録する。
【００９１】
（変形例６）
上述した実施の形態では、２板式の撮像素子１１および１２に、原色系（ＲＧＢ）のカラーフィルタを用いる場合について説明したが、補色系（ＣＭＹ）のカラーフィルタを用いるようにしてもよい。
【００９２】
（変形例７）
上述した実施の形態では、ハーフミラー１０によって交換レンズ２からの被写体光をニ分割するようにしたが、ダイクロイックミラーを用いるようにしてもよい。たとえば、緑色成分の光を反射するダイクロイックミラーを用いるようにすれば、Ｇ用撮像素子１２の各画素には、緑色成分の光のみを透過させるカラーフィルタを省略することができる。
【００９３】
（変形例８）
上述した実施の形態では、２板式の撮像素子１１および１２を用いる場合について説明したが、３板式の撮像素子を用いるようにしてもよい。この場合の３板式撮像素子は、たとえば、Ｒ画素のみが２次元状に配列されたＲ用撮像素子と、Ｇ画素のみが２次元状に配列されたＧ用撮像素子と、Ｂ画素のみが２次元状に配列されたＢ用撮像素子とから構成される。これらＲ用撮像素子、Ｇ用撮像素子およびＢ用撮像素子には、上述した実施の形態のＧ用撮像素子１２と同様に、各マイクロレンズ４０の背後に４つの画素が２行２列に配置されるようにマイクロレンズ群を設ける。なお、この場合、ダイクロイックプリズムなどでＲＧＢそれぞれの光に分離する場合は、各撮像素子のカラーフィルタを省略することができる。
【００９４】
（変形例９）
上述した実施の形態では、カメラボディ３に交換レンズ２が装着される構成のデジタルカメラ１に本発明を適用するようにしたが、これに限らなくてもよい。たとえば、レンズ一体型のデジタルカメラにも本発明を適用することができる。
【００９５】
以上の説明はあくまで一例であり、上記の実施形態の構成に何ら限定されるものではない。また、上記実施形態に各変形例の構成を適宜組み合わせてもかまわない。
【符号の説明】
【００９６】
１…デジタルカメラ
２…交換レンズ
１０…ハーフミラー
１１…ＲＢ用撮像素子
１２…Ｇ用撮像素子
１４…ボディ制御部
４０…マイクロレンズ
８０…射出瞳
８１〜８４…瞳領域
【図１】
0005998583.tif 000002
【図２】
0005998583.tif 000003
【図３】
0005998583.tif 000004
【図４】
0005998583.tif 000005
【図５】
0005998583.tif 000006
【図６】
0005998583.tif 000007
【図７】
0005998583.tif 000008
【図８】
0005998583.tif 000009
【図９】
0005998583.tif 000010
【図１０】
0005998583.tif 000011
【図１１】
0005998583.tif 000012
【図１２】
0005998583.tif 000013
【図１３】
0005998583.tif 000014
【図１４】
0005998583.tif 000015
【図１５】
0005998583.tif 000016
【図１６】
0005998583.tif 000017
【図１７】
0005998583.tif 000018
【図１８】
0005998583.tif 000019